【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
第１の期間にユーザ活動のレベルを監視することにより、プロセッサを介してユーザの注意力の状態を判定することと、
前記ユーザの近傍において少なくとも１つの物理的対象物を検出することと、
前記注意力がある量より低いときに、プロセッサを使用して、少なくとも１つの検出された物理的対象物が前記ユーザの注意力の前記状態を変化させることを可能にすることと
を含む、方法。
【請求項２】
処理ユニットと、
前記処理ユニットに結合されたメモリであって、命令を記憶しており、前記命令が、前記処理ユニットによって実行されると、
空間内のユーザの注意力の状態を判定することと、
前記ユーザの近傍において少なくとも１つの物理的対象物を検出することと、
前記注意力がある量より低いときに、前記ユーザの注意力の前記状態を変化させるために、プロセッサを使用して少なくとも１つの物理的対象物を検出することと
を行うように前記処理ユニットを構成する、メモリと
を含む、コンピューティング装置。
【請求項３】
前記プロセッサが拡張現実環境を提供する、請求項１に記載の方法または請求項２に記載の装置。
【請求項４】
教育活動は第１のモードで提示され、および前記検出された少なくとも１つの物理的対象物とともに前記拡張現実を使用する動作が、前記検出された少なくとも１つの物理的対象物とともに前記教育活動に関連する素材を第２のモードで提示することを含み、前記第１のモードは音声を含み、および前記第２のモードは画像、ビデオ、および対話型要素の少なくとも１つを含む、請求項３に記載の方法または請求項３に記載の装置。
【請求項５】
前記注意力の状態が、ユーザの脈拍もしくは心拍数、瞳孔拡張、まばたきの速度、または呼吸パターンを含む少なくとも１つの生体データのレベルによって監視される、請求項１もしくは３に記載の方法または請求項２〜４のいずれか一項に記載の装置。
【請求項６】
前記物理的対象物が、画像、音、匂いまたは触れる感覚を含む、聴覚、触覚、または他の効果を提供することができる任意の装置である、請求項１もしくは３〜５のいずれか一項に記載の方法または請求項２〜５のいずれか一項に記載の装置。
【請求項７】
前記ユーザの注意力の前記状態を判定する動作が、前記空間内の前記ユーザが関わる教育活動への前記ユーザの関与レベルを判定することを含む、請求項１に記載の方法または請求項２に記載の装置。
【請求項８】
前記ユーザの前記状態を判定する動作が、車両を運転している間の前記ユーザの覚醒レベルを判定することを含み、および
前記検出された少なくとも１つの物理的対象物とともに前記拡張現実を使用する動作が、前記ユーザの視野に視覚的な警告を提供して前記ユーザの覚醒レベルを高めることを含む、請求項５に記載の方法。
【請求項９】
前記ユーザの前記近傍において前記少なくとも１つの物理的対象物を検出する動作が、前記拡張現実の一部分として前記ユーザから見える領域内に前記少なくとも１つの物理的対象物があることを検出することを含む、請求項５に記載の方法。
【請求項１０】
前記ユーザの前記状態を判定する動作が、
前記ユーザについての生体データを受信することと、
前記ユーザの少なくとも１つの画像の分析を受信することと
の少なくとも１つを含む、請求項５に記載の方法または請求項５に記載の装置。
【請求項１１】
前記検出された少なくとも１つの物理的対象物とともに前記拡張現実を使用する動作が、前記少なくとも１つの物理的対象物に対応する視覚位置に画像を提供することを含む、請求項３に記載の方法または請求項３に記載の装置。
【請求項１２】
前記ユーザの前記状態は、
前記ユーザの関与レベルと、
前記ユーザの覚醒レベルと、
前記ユーザの満足度レベルと、
前記ユーザの感情状態と、
前記ユーザの不満レベルがないことと
の少なくとも１つを含む、請求項５に記載の方法または請求項５に記載の装置。
【請求項１３】
前記処理ユニットが、
教育活動の識別情報を受信することと、
前記識別情報に基づいて素材を選択することと
を行うようにさらに構成されている、請求項２に記載のコンピューティング装置。
【請求項１４】
前記処理ユニットが、車両を運転している間の前記ユーザの覚醒レベルを判定することにより、前記ユーザの前記状態を判定するように構成され、および
前記処理ユニットが、前記ユーザの覚醒レベルを高めるために、前記ユーザの視野に視覚的な警告を提供することにより、前記検出された少なくとも１つの物理的対象物とともに前記拡張現実を使用するように構成されている、請求項２に記載のコンピューティング装置。
【請求項１５】
コンピューティング装置上で実行されるときに、請求項１〜１４のいずれか一項に記載の方法のステップを実行するためのプログラムコードの命令を保持する非一時的記憶媒体。
【手続補正２】
【補正対象書類名】明細書
【補正対象項目名】００６５
【補正方法】変更
【補正の内容】
【００６５】
本出願および特許請求の範囲を説明するために例示的な語句「Ａ、Ｂ、およびＣの少なくとも１つ」が使用され、この語句は、「Ａのみ、もしくはＢのみ、もしくはＣのみ、またはＡ、Ｂ、およびＣの任意の組合せ」を意味する。
［付記１］
物理的なオブジェクトとともに拡張現実を使用する方法であって、
ユーザの状態を判定することと、
前記ユーザの近傍において少なくとも１つの物理的なオブジェクトを検出することと、
前記ユーザの前記状態が基準値でないときに、前記ユーザの前記状態を変化させるために、前記検出された少なくとも１つの物理的なオブジェクトとともに拡張現実を使用することと
を含む、方法。
［付記２］
前記ユーザの前記状態が基準値を下回っており、および前記基準値を上回って前記状態を高めるために拡張現実が使用される、付記１に記載の方法。
［付記３］
前記ユーザの前記状態が基準値を上回っており、および前記基準値を下回って前記状態を低めるために拡張現実が使用される、付記１に記載の方法。
［付記４］
前記ユーザの前記状態を判定する動作が、空間内の前記ユーザが関わる教育活動への前記ユーザの関与レベルを判定することを含み、および
前記検出された少なくとも１つの物理的なオブジェクトとともに前記拡張現実を使用する動作が、前記教育活動への前記ユーザの前記関与レベルを高めることを含む、付記１に記載の方法。
［付記５］
前記教育活動は第１のモードで提示され、および前記検出された少なくとも１つの物理的なオブジェクトとともに前記拡張現実を使用する前記動作が、前記検出された少なくとも１つの物理的なオブジェクトとともに前記教育活動に関連する素材を第２のモードで提示することを含む、付記４に記載の方法。
［付記６］
前記第１のモードは音声を含み、および前記第２のモードは画像、ビデオ、および対話型要素の少なくとも１つを含む、付記５に記載の方法。
［付記７］
前記教育活動の識別情報を受信することと、
前記識別情報に基づいて前記素材を選択することと
をさらに含む、付記６に記載の方法。
［付記８］
前記ユーザの前記状態を判定する動作が、車両を運転している間の前記ユーザの覚醒レベルを判定することを含み、および
前記検出された少なくとも１つの物理的なオブジェクトとともに前記拡張現実を使用する動作が、前記ユーザの視野に視覚的な警告を提供して前記ユーザの覚醒レベルを高めることを含む、付記１に記載の方法。
［付記９］
前記ユーザの前記近傍において前記少なくとも１つの物理的なオブジェクトを検出する動作が、前記拡張現実の一部分として前記ユーザから見える領域内に前記少なくとも１つの物理的なオブジェクトがあることを検出することを含む、付記１に記載の方法。
［付記１０］
前記ユーザの前記状態を判定する動作が、
前記ユーザについての生体データを受信することと、
前記ユーザの少なくとも１つの画像の分析を受信することと
の少なくとも１つを含む、付記１に記載の方法。
［付記１１］
前記検出された少なくとも１つの物理的なオブジェクトとともに前記拡張現実を使用す
る動作が、前記少なくとも１つの物理的なオブジェクトに対応する視覚位置に画像を提供することを含む、付記１に記載の方法。
［付記１２］
前記ユーザの前記状態は、
前記ユーザの関与レベルと、
前記ユーザの覚醒レベルと、
前記ユーザの満足度レベルと、
前記ユーザの感情状態と、
前記ユーザの不満レベルがないことと
の少なくとも１つを含む、付記１に記載の方法。
［付記１３］
処理ユニットと、
前記処理ユニットに結合されたメモリであって、命令を記憶しており、前記命令が、前記処理ユニットによって実行されると、
空間内のユーザの状態を判定することと、
前記ユーザの近傍において少なくとも１つの物理的なオブジェクトを検出することと、
前記ユーザの前記状態が基準値でないときに、前記ユーザの前記状態を変化させるために、前記検出された少なくとも１つの物理的なオブジェクトとともに拡張現実を使用することと
を行うように前記処理ユニットを構成する、メモリと
を含む、コンピューティング装置。
［付記１４］
前記ユーザの前記状態が基準値を下回っており、および前記基準値を上回って前記状態を高めるために拡張現実が使用される、付記１３に記載のコンピューティング装置。
［付記１５］
前記ユーザの前記状態が基準値を上回っており、および前記基準値を下回って前記状態を低めるために拡張現実が使用される、付記１３に記載のコンピューティング装置。
［付記１６］
前記処理ユニットが、前記空間内の前記ユーザが関わる教育活動への前記ユーザの関与レベルを判定することにより、前記ユーザの前記状態を判定するように構成され、および
前記処理ユニットが、前記教育活動への前記ユーザの前記関与レベルを高めることにより、前記検出された少なくとも１つの物理的なオブジェクトとともに前記拡張現実を使用するように構成されている、付記１３に記載のコンピューティング装置。
［付記１７］
前記教育活動は第１のモードで提示され、および前記処理ユニットが、前記検出された少なくとも１つの物理的なオブジェクトとともに前記教育活動に関連する素材を第２のモードで提示することにより、前記検出された少なくとも１つの物理的なオブジェクトとともに前記拡張現実を使用するように構成されている、付記１５に記載のコンピューティング装置。
［付記１８］
第１のモードは音声を含み、および第２のモードは画像、ビデオ、および対話型要素の少なくとも１つを含む、付記１６に記載のコンピューティング装置。
［付記１９］
前記処理ユニットが、
前記教育活動の識別情報を受信することと、
前記識別情報に基づいて前記素材を選択することと
を行うようにさらに構成されている、付記１６に記載のコンピューティング装置。
［付記２０］
前記処理ユニットが、車両を運転している間の前記ユーザの覚醒レベルを判定すること
により、前記ユーザの前記状態を判定するように構成され、および
前記処理ユニットが、前記ユーザの覚醒レベルを高めるために、前記ユーザの視野に視覚的な警告を提供することにより、前記検出された少なくとも１つの物理的なオブジェクトとともに前記拡張現実を使用するように構成されている、付記１３に記載のコンピューティング装置。
［付記２１］
前記処理ユニットが、前記拡張現実の一部分として前記ユーザから見える領域内に前記少なくとも１つの物理的なオブジェクトがあることを検出することにより、前記ユーザの前記近傍において前記少なくとも１つの物理的なオブジェクトを検出するように構成されている、付記１３に記載のコンピューティング装置。
［付記２２］
前記処理ユニットが、
前記ユーザについての生体データを受信することと、
前記ユーザの少なくとも１つの画像の分析を受信することと
の少なくとも１つにより、前記ユーザの前記状態を判定するように構成されている、付記１３に記載のコンピューティング装置。
［付記２３］
前記処理ユニットが、前記少なくとも１つの物理的なオブジェクトに対応する視覚位置に画像を提供することにより、前記検出された少なくとも１つの物理的なオブジェクトとともに前記拡張現実を使用するように構成されている、付記１３に記載のコンピューティング装置。
［付記２４］
前記ユーザの前記状態は、
前記ユーザの関与レベルと、
前記ユーザの覚醒レベルと、
前記ユーザの満足度レベルと、
前記ユーザの感情レベルと、
前記ユーザの不満レベルがないことと
の少なくとも１つを含む、付記１３記載のコンピューティング装置。物理的なオブジェクトとともに拡張現実を使用する方法であって、
ユーザの状態を判定することと、
前記ユーザの近傍において少なくとも１つの物理的なオブジェクトを検出することと、
前記ユーザの前記状態が基準値でないときに、前記ユーザの前記状態を変化させるために、前記検出された少なくとも１つの物理的なオブジェクトとともに拡張現実を使用することと
を含む、方法。